(57)【要約】バックパック（１０）は、１つまたは複数のテント部品を内部に収容するように適合させられた複数の収容区分室およびポケット（５０、５６）をバックパック（１０）内に備える。該ポケット（５０、５６）は、前記１つまたは複数のテント部材を内部に収容することによりバックパックに構造上の剛性を提供しこれを補強するように、バックパック（１０）内に配置される。特に、内部にテント用ポール部材（４０）を収容することによってバックパック（１０）に堅固な基幹を生じるように適合させられた、１対の細長い垂直ポケット（５０）と、内部にテントのキャノピおよびフロアシート（５５）を収容することによって補強されクッション性を持つ底部をバックパック（１０）に提供するように適合させられた、バックパック（１０）の底部に配置されたポケット（５６）とがある。また、バックパック（１０）は、折り畳み可能にバックパックに取り付けられ、バックパック（１０）から下方に折れて着用者にクッション性のある座席を提供するように適合させられた腰部サポートパッド（３０）を備え、下方に折れたパッド（３０）に対して垂直なバックパック（１０）の本体は、着用者が該パッド上に座った場合に本体が背もたれの役割を果たす位置にある。
2004520913.tif 000002
【特許請求の範囲】
【請求項１】
収容手段と、
１つまたは複数のテント部品を内部に収容するように適合させられたバックパック内にポケット手段とを備えたバックパックであって、
前記ポケット手段は、前記１つまたは複数のテント部品を内部に収容することにより前記バックパックに構造上の剛性を提供しかつ補強するように、前記バックパック内に配置される、バックパック。
【請求項２】
前記ポケット手段は、内部にテント用ポール部材を収容することによって前記バックパックに堅固な基幹を生じるように適合させられた、１つまたは複数の細長い垂直ポケットを有する、請求項１に記載のバックパック。
【請求項３】
前記ポケット手段は前記バックパックの底部に設けられたポケットを備え、該ポケットは、内部にテントのキャノピとフロアシートとを収容することにより、前記バックパックに補強されたクッション性を有する底部をもたらすように適合させられた、請求項１に記載のバックパック。
【請求項４】
バックパックとテントとの組み合わせ構造であって、
収容手段と、複数のテント用ポール部材を内部に収容するバックパック内のポケット手段とを含むバックパックと、
テントの組み立てのために前記ポケット手段から取出し可能なキャノピとフロアシートとを備えた、構造。
【請求項５】
前記バックパックの収容区分室内に２つの細長い垂直ポケットを有する、請求項２に記載のバックパック。
【請求項６】
前記ポケットは各々フラップで閉じるのが可能な開口部を有する、請求項５に記載のバックパック。
【請求項７】
前記ポケットが前記バックパックの垂直軸を挟んで対称に配置される、請求項５に記載のバックパック。
【請求項８】
前記ポケットは、その内部に固定される、前記バックパックをテントのキャノピおよびフロアシートに着脱可能に固定するための固定手段を有する、請求項３に記載のバックパック。
【請求項９】
収納手段と、腰部サポートパッドとを備えたバックパックであって、
前記腰部サポートパッドは、折れ曲がるように前記バックパックに結合され、前記バックパックの本体を垂直にした場合に、着用者にクッション性のある座席を提供するために前記バックパックから下方に折れるように適合させられ、前記パッドがそこから下方に折れる前記バックパックの本体は、着用者が前記パッド上に座った場合に背もたれの役割を果たす、バックパック。
【請求項１０】
折れ曲がるように前記バックパックに結合され、前記バックパックの本体を垂直にした場合に、着用者にクッション性のある座席を提供するために前記バックパックから下方に折れるように適合させられた、腰部サポートパッドを更に備え、前記パッドがそこから下方に折れる前記バックパックの本体は、着用者が前記パッドの上に座った場合に背もたれの役割を果たす、請求項１に記載のバックパック。
【発明の詳細な説明】
【技術分野】
【０００１】
本発明は、改良型バックパックに関し、特に、その内部へのテント部品の収容に関して、省スペースを実現し、テント部品の盗難に遭いにくく、かつバックパックの構造および機能を改良するようにテント部品を収容するように適合させられた、バックパックに関する。
【背景技術】
【０００２】
ここ数十年の間に、バックパックは、最も普及している一般的な形態の持ち運びのできる運搬装置の１つとなった。しかし、従来のバックパックは、内部にテント部品を収容するのには適していない。バックパックを背負う人にとっては、通常、バックパックの外側にテント部品を固定するのは格好が悪く、またテント部品が見えて人の心を捉えるため、バックパック自体は盗まれなくてもテント部品が盗まれがちである。
【０００３】
さらに、バックパックの普及に伴い、概して、特定のすき間市場に適するようにそれらの構造および機能の特殊化が生じている。特に通学用キャリーパックのすき間市場でのバックパックの流行により、ユーザーは、通学、ウォーキング／トレッキング、そしてキャンプなど多様な目的に使用できる「万能な」バックパックを求めるため、多用途化の要求が高まった。
【発明の開示】
【発明が解決しようとする課題】
【０００４】
多くの場合、通学に適したバックパックは他の目的には適していない。例えば、通学用キャリーパックには、ウォーキング／トレッキングやキャンプ用として必要な調節性能、強度、および収容量が不足している。一方、ウォーキング／トレッキングやキャンプに適したバックパックは、通学には適していないことが多い。本明細書では、バックパックの構造および機能の多用途化への要求に取り組んだ。
【０００５】
本明細書に開示される発明による１つの好適な実施形態の目的は、バックパックの１つまたは複数の専用ポケット内に収容されるテント用ポール部材によってもたらされる、着脱可能で堅固な基幹構造を有する、バックパックを提供することである。
【０００６】
本明細書に開示される発明による別の好適な実施形態の目的は、バックパックの底部にある専用ポケット内に収容されるテントのキャノピおよびフロアシートによってもたらされる、補強されたクッション性のある底部を有する、バックパックを提供することである。
【０００７】
本明細書に開示される発明による更に別の実施形態の目的は、収容されたテント用ポール部材および収容されたキャノピとフロアシートとをバックパックから容易に取り出してテントを組み立てることができ、またテントを解体した際には容易にバックパック内に収容できる、バックパックを提供することである。
【０００８】
さらに、本明細書に開示される発明の目的は、着用者がクッション性のある座席として使用するように適応させることができる腰部サポートパッドを備えた、バックパックを提供することにある。
【課題を解決するための手段】
【０００９】
本発明によれば、収容手段と、１つまたは複数のテント部品を内部に収容するように適合させられたバックパック内のポケット手段とを備えたバックパックが提供される。該ポケット手段は、１つまたは複数のテント部品を内部に収容することによりバックパックに構造上の剛性を提供しかつ補強するように、バックパック内に配置される。
【００１０】
特に、本発明は、収容手段と、内部にテント用ポール部材を収容することによって前記バックパックに堅い基幹を生じるように適合させられた細長い垂直のポケット手段とを備えた、バックパックを提供する。
【００１１】
また、本発明は、収容手段と、バックパックの底部に設けられたポケット手段とを備えたバックパックを提供する。該ポケット手段は、内部にテントのキャノピとフロアシートとを収容することにより、バックパックに補強されたクッション性を有する底部を生じるように適合させられる。
【００１２】
別の態様によれば、収容手段と腰部サポートパッドとを備えたバックパックが提供される。該腰部サポートパッドは、折れ曲がるようにバックパックに取り付けらされ、バックパックの本体を垂直にした場合に、着用者にクッション性のある座席を提供するためにバックパックから下方に折れるように適合させられ、該パッドがそこから下方に折れるバックパックの本体は、着用者がパッド上に座った場合に背もたれの役割を果たす。
【００１３】
さらに、本発明は、収容手段と複数のテント用ポール部材を内部に収容するバックパック内のポケット手段とを含むバックパックと、それを用いてテントを組み立てるための該ポケット手段から取出し可能なキャノピとフロアシートとを備えた、バックパックとテントとを組み合わせた構造を提供する。
【００１４】
本発明が容易に理解され実際的な効果をもたらすように、添付の図面を参照する。
【発明を実施するための最良の形態】
【００１５】
図示されるバックパック１０は、一般的にバックパックの製造に用いられている強力で防水性のあるシート素材で形成される。バックパック１０は、ジッパー構成で開閉可能な多数の区分室の形状をした収容手段を含む。また、ハーネスとサポート構成を収容するための最背部の区分室があり、この区分室は、該最背部の区分室の開口を画成する２つの対向する端部に沿って設けられたジッパートラック１８の噛み合い歯と係合する、１対のスライド可能なジップランナー１４、１６によって、利用できる。ジップランナー１４、１６を反対方向に引いて２つの端部を分離し、リヤフラップ２０を剥して、最背部の区分室を開けることができる。
【００１６】
最背部の区分室内には、ハーネス手段が固定されている。該ハーネス手段は、１対のパッド入りショルダーストラップ２２、２４と、パッド入りウエストストラップ２６（バックルを外した状態で図示）、および人の胸部を横切って締めることができる引き締め用ベルトおよびバックル構成２８を含む。さらに、腰部サポートパッド３０も含まれる。リヤフラップ２０は、巻き上げられた形状でバックパック１０の頂上部の小さな区分室３１内に収容される。
【００１７】
パッド入りショルダーストラップ２２、２４は、支持部分３２によって結合され、該支持部分３２には１対のスライド可能なアンカー片（図示せず）が取り付けられている。各アンカー片は、バックパック１０にしっかりと固定され対称に配置された１対のトラック部材３６、３７のそれぞれの一方を、上下にスライドさせることができる。従って、ショルダーストラップ２２、２４は、バックパック１０の他の部分に対して高さを調節することができる。ショルダーストラップ２２、２４が低い位置にある場合（図２に示す）、支持部分３２は、ベルトおよびバックル構成によって上方へのスライド（着用中の動きによって生じやすい）が防止される。トラック部材３６、３７に沿ってショルダーストラップ２２、２４を調節することにより、着用者にとって快適な好みに応じて、着用者の背中での高さ位置を変えてバックパック１０を着用することができる。バックパックの高さ位置が低くなるのは、図３に示すように、ショルダーストラップ２２、２４がトラック部材３６、３７に沿って最も高い位置になるよう調節してバックパックを着用した場合である。バックパックの高さ位置が高くなるのは、図２に示すように調節してバックパックを着用した場合である。
【００１８】
図３に示すように、腰部サポートパッド３０は、バックパック１０の底部に縫合または他の方法で折り曲げ可能に下端部に沿って固定され、下方に折れて着用者にクッション性のある座席を提供する。腰部サポートパッド３０は、通常、バックパック１０に対して直立位置で固定されている。これは、パッド３０の内側の表面にある１対の第１のフックおよびループ状の紐３１が、ウエストストラップ２６の中間連結部にある１対の第２のフックおよびループ状の紐３３と係合することによって、固定される。パッド３０をどの程度下方に折ることができるかは、バックル留めされた１対のストラップ３５、３７によって決まる。下方に折れたパッド３０によって提供されるクッション性のある座席は、くつろぐ際に役立つと思われ、またこれはバックパック１０の底部に位置するため、座席に座った着用者は、垂直なバックパック３０の本体を背もたれとして用いることができる。ストラップ３５、３７は、パッドに座った着用者が垂直な本体に背圧をかけた場合に本体が倒れるのを抑止する。
【００１９】
図４に示す関節構造を有するテント用ポール部材４０は、従来技術において周知であり、またポール部材４０の２つは、図７に示すテントの組み立てに用いられる。各ポール部材４０は、６つの関節結合部４４で連結された７つのポール部品４２を有する。各関節結合部４４は、ポール部品４２の１つの終端部に延設された中空の管部材４６と、ばね作用コード４８とを含み、該ばね作用コード４８の一方の終端部は管部材４６内部の固着地点に固定され、もう一方の終端部はポール部分４２のフリーエンドに固定される。２つのポール部分４２のこのような配置構造によって、フリーエンド部は、コード４８の収縮という生来の性向により管部材４６内に引っ張られる。
【００２０】
テント用ポール部材４０は、その関節構造によりコンパクトな形状４９に折り畳むことができ、図５に示すように細長い垂直ポケット５０内に挿入可能となる。テントを組み立てるにはテント用ポール部材４０が２つ必要なため、細長いポケット５０は２つあり、これらは、バックパック１０の中央区分室５２内に、最背部の区分室に最も近い壁面に対して設けられ、バックパックの垂直軸を挟んで対称に配置さる。コンパクトな形状４９のテント用ポール部材が各垂直ポケット５０に収容されると、堅固な基幹構造が形成され、バックパック１０が歪まないよう強化される。各垂直ポケット５０は、フックおよびループタイプの固定手段を利用したトップフラップ５４によって閉じられる。
【００２１】
折り畳まれたテントのキャノピおよびフロアシート５５がバックパック１０の底部ポケット５６内の収容位置から取り出された状態で図６に示されており、これは従来技術において周知であり、図７に示すテント６４の組み立てに用いられる。底部ポケット５６はジッパー構成によって開閉可能で、折り畳まれたテントのキャノピとフロアシート５５が収容されると、補強されたクッション性のある底部をバックパック１０に提供する。このように、折り畳まれ収容されたテントのキャノピとフロアシート５５は、物理的な損傷および外部の状況から保護され、バックパック１０内の保護された見えない位置に収容されるため、盗難に遭いにくい。これらの利点は、収容されたテント用ポール部材４０にも当てはまる。なぜなら、これらの収容位置もバックパック１０の内部だからである。また、底部ポケット５６内に固定された１対の凹型の留め付け部材７０、７２があり、これらは、対応する凸型の留め付け部材７４、７６を有するバックパック１０を、着脱可能にテントのキャノピおよびフロアシート５５に着脱可能に固定させるために使用される（同様に図７を参照）。固定手段は、代替として、プレス・スタッド構成、ジッパー構成等でもよい。
【００２２】
テントのキャノピとフロアシート５５がバックパック１０内から取り出されて広げられ、またテント用ポール部材４０も同様に取り出されて広げられると、図７に示すテント構造６４を組み立てることができる。また、凸型の留め付け部材７４、７６は、テントのキャノピとフロアシート５５を底部ポケット５６内へ正しい順序で折り畳めるよう、容易に確認できる参照位置を提供する。
【００２３】
尚、本発明の範囲および領域から逸脱することなく設計および製造の詳細において様々な変更を加えることが可能である。
【図面の簡単な説明】
【００２４】
【図１】本発明の好適な実施形態に係るバックパックの、完全に閉じられた状態を示す斜視図である。
【図２】図１のバックパックの、リヤフラップが開けられ腰部サポートパッドと調節可能なハーネス構成が見える状態を示す斜視図であり、該調節可能なハーネス構成は、１対のトラック手段と、該１対のトラック手段の最下部付近の位置でスライド可能に該トラック手段と係合するハーネス手段とを有することを示す斜視図である。
【図３】図２の斜視図と類似する斜視図であるが、ハーネス手段が１対のトラック手段の最上部で該トラック手段とスライド可能に係合し、腰部サポートパッドが下方に折れて着用者にクッション性のある座席を提供することを示す斜視図である。
【図４】図１のバックパック内に収容されるよう適合させられた、関節構造を有するテント用ポール部材の側面図である。
【図５】図１のバックパックの斜視図であり、バックパックの主たる収容区分室が一部開けられ、バックパック内の１対の細長い垂直ポケットの１つの中に収容された図４のテント用ポール部材が見える斜視図である。
【図６】図１のバックパックの斜視図であり、バックパックの底部ポケットが開けられ、バックパック内の収容された位置から取り出された折り畳まれたテントのキャノピおよびフロアシートが見える斜視図である。
【図７】図４および図６に示すテント用ポール部材およびキャノピとフロアシートから組み立てられたテントの斜視図であり、図１のバックパックがその内部に配置されていることを示す斜視図である。
【国際公開パンフレット】
2004520913.tif 000003
2004520913.tif 000004
2004520913.tif 000005
2004520913.tif 000006
2004520913.tif 000007
2004520913.tif 000008
2004520913.tif 000009
2004520913.tif 000010
2004520913.tif 000011
2004520913.tif 000012
2004520913.tif 000013
2004520913.tif 000014
2004520913.tif 000015
2004520913.tif 000016
2004520913.tif 000017
【国際調査報告】
2004520913.tif 000018
2004520913.tif 000019
2004520913.tif 000020
2004520913.tif 000021
2004520913.tif 000022